(57)【要約】【課題】映画館でのビデオカメラ等によるスクリーン盗撮防止装置を提供する。【解決手段】液晶メガネ方式による３Ｄ立体映画の右目左目映像の切替え信号によってスクリーンに投射する盗撮防止赤外光量を変化させ、盗撮映像の品位を低下させ盗撮機器の正常機能を妨害し盗撮を防止する。使用する投射光は非可視である為、観客に鑑賞を妨げることは無い。【選択図】図１
2012156970.tif 000002
【特許請求の範囲】
【請求項１】
映画を上映閲覧する所謂映画館でビデオカメラでの盗撮を防止する為、目に不可視で且つ、ビデオカメラの撮像素子に写る赤外光をスクリーン方向からビデオカメラに向けて投射する事により、盗撮を防止する事を特徴とする盗撮防止装置は観客の映画鑑賞の妨げにならず、且つ盗撮を行うビデオカメラの機能を低下させる為、明るさセンサーでスクリーンの明るさを検出し、スクリーンが暗い時は観客の目に見えない中心波長が９００〜９８０ｎｍの赤外光を、スクリーンが明るい時は、盗撮防止装置から投射される赤外光が観客の目に若干見えるが、ビデオカメラに与える影響が大きい中心波長が８００〜９００ｎｍの赤外光をスクリーン近傍またはスクリーン背後からビデオカメラに向かって発射することにより盗撮した画像を鑑賞に堪えないようにすること機能を持ち、映画館で上映された３Ｄ立体映画のビデオカメラ盗撮を妨害するため液晶メガネ方式の３Ｄ立体映画の左眼右眼切替え赤外信号を検出し、左眼右眼切替え赤外信号が存在する限り盗撮防止装置からの赤外光の発射を停止することにより、盗撮防止装置による３Ｄ立体映画の上映の妨害を回避することを特徴とする盗撮妨害方法及び装置。
【請求項２】
請求項１に記載の不正撮像妨害方法であって、液晶メガネ方式の３Ｄ立体映画の左眼右眼切替え赤外信号を検出し、左眼右眼切替え赤外信号のレベル制御と盗撮防止装置の信号制御を行う中継機能により盗撮防止装置による３Ｄ立体映画の上映の妨害を回避し、良好な３Ｄ立体映画の上映を補助することを特徴とする盗撮妨害方法及び装置。
【請求項３】
請求項１に記載の不正撮像妨害方法であって、液晶メガネ方式の３Ｄ立体映画の左眼右眼切替え赤外信号を検出し、検出した信号のパターンや繰り返し周期が規定の状態にある場合に限り、盗撮防止装置からの赤外光の発射を停止することにより、盗撮防止装置による３Ｄ立体映画の上映の妨害を回避することを特徴とする盗撮妨害方法及び装置。
【請求項４】
請求項１で、映写機横に置かれた３Ｄ立体映画の液晶メガネの左目、右目切替え赤外信号送信装置に内蔵された赤外信号送信手段の代わりに、映写機横から電波、または盗撮防止装置と干渉しない波長の光で液晶眼鏡方式の３Ｄ立体映画の左眼右眼切替え信号を盗撮防止装置に送り、盗撮防止装置で受信または受光し、８４０ｎｍ〜９８０ｎｍの近赤外光に変換して送信し、盗撮防止効果と３Ｄ立体映画の左眼右眼切替え信号の送信を合わせて行うことを特徴とする盗撮妨害方法及び装置。
【発明の詳細な説明】
【技術分野】
【０００１】  本発明は、盗撮者が映画館において不法に著作物の盗撮を行い、違法な著作物販売などにより不当な利益を得ることを防止する事やインターネットなどに公開し、著作者に不利益を与える事を防止する装置に関するものである。
【背景技術】
【０００２】  １９８０年代、映画館でスクリーンを録画し、館内に流れる音声を録音して作成されたと考えられる映画の所謂海賊版ビデオが出回るようになった。これは、家庭用の録画録音機器の普及によって、映画館内に機器を容易に持ち込めるようになったためだと考えられている。この種の海賊版は、正規版のメディアから複製された海賊版と比較すると、影像や音声の品質が劣る一方で、映画が一般公開された直後に出回る点で、興行収入への影響が無視できないものであった。【０００３】  １９９０年代入ると、カメラやマイクの高性能化、小型化により、映画館における映画の録画・録音を、より鮮明に、かつ隠密に行うことが可能になった。さらに、これまで海賊版の流通媒体として主に使われてきたアナログのビデオテープに代わって、ＤＶＤやインターネットといったデジタル技術を基盤としたデータ複製、送信手段が普及した結果、海賊版を映像劣化させることなく複製し、短時間に世界中に流通させることが可能となった。その結果、海賊版の流通による興行収入への影響はいっそう深刻なものになっていった。アメリカ映画業協会の海外管轄団体であるＭＰＡ（Ｍｏｔｉｏｎ  Ｐｉｃｔｕｒｅ  Ａｓｓｏｃｉａｔｉｏｎ  ｏｆ  Ａｍｅｒｉｃａ）の試算によると、２００５年、日本国内の映画館における盗撮によって流出した海賊版による日本国内の損害額は、邦画と洋画を合わせて１８０億円であったという。そして、同年の日本における映画興行収入は約１９８０億円であったことから、海賊版の流通が、興行収入を１割近く減少させていると指摘している。【０００４】  ２００７年８月３０日に、「映画の盗撮の防止に関する法律」が施行され、法律によって映画館に置ける盗撮を防止する事が可能になった。この法律を有効に運用し、盗撮防止を行うのは勿論であるが、実際の運用では、盗撮者とのトラブル、盗撮に関係しない一般客への悪影響など、困難な場面も予想される。盗撮者を発見し、摘発する装置を導入し、運用する事が盗撮を根絶する為の重要手段であり、盗撮を効果的に防止する手段の開発も望まれる。
【先行技術文献】
【特許文献】
【０００５】  著作権保護の為の従来技術としては、特許文献１である特開２００１−３１３００６による方法は光ファイバーで赤外光を導入、発光させ、盗撮を防止させている。特許文献２の特開２００２−１９７５６２の方法として、盗撮、盗聴する機器の存在を赤外線の有無で検知する装置及び方法。特許文献３の特開２００３−０５７７５３は映画フィルムコマ送り間に可視光をスクリーンに投射し盗撮される映像品位を低下させるものであるが可視光を投射するため映画鑑賞を妨げてしまう。特許文献４の特開２００３−３０２９６０の方法は投射映像をＲＧＢ表示とＲＧＢＹ表示を切り換えることにより盗撮ビデオカメラにフリッカを生じさせるものである。特許文献５の特開２００５−０２６７５９の方法は電子透かし埋め込み方法である。特許文献６の特開２００６−２５８６５１の方法として映画館での盗撮防止の為、盗撮に使用する映像機器レンズの反射光を判定検出する方法がある。特許文献７の特開２００９−２８２２７０はラインまたはスポット状の赤外光をスクリーン上に投射しスキャンすることにより盗撮画像品位を低下させるものである。これらの装置の欠点を改良し、盗撮防止の効果を十分に高めた盗撮防止装置を提供しようとするのが、本出願と同一の出願人による特許文献８の特開特開２０１０−０２０２６３、特許文献９の特開２０１０−２３１７４８があるが内容の詳細については、省略する。本発明は映画館でスクリーン上映された映像として善意の観客には悪影響を与えることなく、悪意の盗撮に対しては盗撮された映像の品位を悪化させ、結果として不法媒体の流通を防ぐ事に有る。
【特許文献１】特開２００１−３１３００６号公報
【特許文献２】特開２００２−１９７５６２号公報
【特許文献３】特開２００３−０５７７５３号公報
【特許文献４】特開２００３−３０２９６０号公報
【特許文献５】特開２００５−０２６７５９号公報
【特許文献６】特開２００６−２５８６５１号公報
【特許文献７】特開２００９−２８２２７０号公報
【０００６】  これらの装置の欠点を改良し、盗撮防止の効果を十分に高めた盗撮防止装置を提供しようとするのが、本出願と同一の出願人による特許文献８の特開特開２０１０−０２０２６３、特許文献９の特開２０１０−２３１７４８である。特開２０１０−０２０２６３、特開２０１０−２３１７４８に記載の方法及び装置で、スクリーンからビデオカメラに向けて強力な赤外光を放射することで、ビデオカメラの自動焦点調整機構に狂いが生じることを利用し、ビデオカメラに強制的にピンボケ状態を作り出し、盗撮したビデオテープ、ハードディスクなどの映像を鑑賞に堪えないまでに劣化させる事を目的とする。また、ビデオカメラに使われているＣＣＤなどの撮像素子に用いられる色フィルターが、本来ならカットすべき赤外光を或る程度通過させる事を利用し、スクリーンから客席に向けて不可視且つ強力な赤外光を放射する事で、盗撮したビデオテープ、ハードディスクなどの映像を見るに堪えないまでに劣化させる事を目的とする盗撮防止装置を提案した。
【特許文献８】特開２０１０−０２０２６３号公報
【特許文献９】特開２０１０−２３１７４８号公報
【発明の概要】
【発明が解決しようとする課題】
【０００７】  本発明は映画館でスクリーン上映される立体（３Ｄ）映像を盗撮し、映像コンテンツの二次的不正流通を行い不当な利益を得ることを防止し、著作者、興行に不利益を与える事を防止する方法及び装置を提供することが課題である。映画館の３Ｄ立体映像鑑賞は二次元平面のスクリーン上に投影された右目用映像と左目用映像を右目には右目映像を、左目には左目映像を入射認識させて両眼視差による立体像を認識させる。この両眼への映像分離機能はパララックスバリア方式、インテグラル方式という特殊メガネを必要としない方法もあるが観察者である客席位置の自由度、大画面かつ解像度が必要な映画館ではメガネ方式が主流である。現状、この特殊メガネは液晶による右目左目の透過遮断機能を持つ液晶方式、直線偏光または円偏光による偏光メガネ方式、赤青メガネのアナグリフを応用した多層薄膜による可視光波長分割の変形アナグリフメガネが実用化している。これら特殊メガネの分類は偏光または可視光波長分割の変形アナグリフを用いたパッシブメガネと液晶を用いたアクティブメガネに分類される。パッシブメガネである偏光メガネは光透過率が低い欠点を補うため映画館内のスクリーンは反射効率の良いシルバースクリーンを必要とする。シルバースクリーンはスクリーン画面の左右両端、上下両端の反射率が低いためスクリーン中央に向けて投影される映像の偏光特性を維持するため、従来の映画館で使用されているホワイトスクリーンとは異なるシルバースクリーンが必要となる。【０００８】  直線偏光及び円偏光メガネによる上映にはシルバースクリーンへ大型スクリーンを交換する事が要求され映画館への負担が発生する。このような状況から映画館のインフラ変更の必要のない液晶メガネ方式が主流となっている。液晶シャッターによる液晶メガネの左目、右目への切替え両眼視差による立体映像を認識させるためにはスクリーンに投射される右目映像及び左目映像に同期して液晶メガネの左目、右目の切替えを行う必要がある。この右目、左目の切替え信号は映像投射器に同期する信号を赤外光でスクリーンに向け投射する。液晶メガネはスクリーンに投射された赤外信号光を検出して右目左目の切替えを行う事により立体映像を視覚認識することが可能となる。【０００９】  本出願と同一の出願人による特開２０１０−０２０２６３、特開２０１０−２３１７４８に記載の方法及び装置では、スクリーンからビデオカメラに向けて強力な赤外光を放射することで、ビデオカメラの自動焦点調整機構に狂いが生じることを利用し、ビデオカメラに強制的にピンボケ状態を作り出し、盗撮映像の不正流通を阻止する方法を採用しているが、前記液晶メガネの右目、左目の切り替え信号である赤外光と干渉し、液晶メガネの右目、左目の切替えを妨害してしまう。このため立体映画鑑賞と前記盗撮防止方法は両立しない。本発明は立体映画鑑賞と前記盗撮防止方法を両立させ立体映画の盗撮を防止する方法および装置を提供する。【００１０】  また、本発明は、立体映画でない通常の２Ｄ映画であっても盗撮を防止する機能を維持し、かつ今までの従来使われているスクリーンをそのまま使用できる利点を持つ。
【課題を解決するための手段】
【００１１】  本発明の請求項１は上記目的を達成するため立体映画をスクリーンに映写する映写機に同期して液晶メガネの左目、右目映像の切替え赤外光信号をスクリーンに向けて投射する。映画館において、液晶メガネの左目、右目映像を切替える赤外光信号検出器をスクリーン近傍またはスクリーン背後に設け、液晶メガネの左目、右目映像の切替え赤外光信号を検出しないときには、盗撮ビデオカメラに強制的にピンボケ状態を作り出す強力な赤外光をスクリーンに向けて放射し、液晶メガネの左目、右目映像の切替え赤外光信号を検出したときには、盗撮ビデオカメラに強制的にピンボケ状態を作り出す強力な赤外光をスクリーンに向け放射しない装置からなる。この構成手段は盗撮防止のための強力な赤外光が液晶メガネの左目、右目映像の切替え赤外光信号を液晶メガネのセンサーが混同する事を防いでいる。【００１２】  請求項２は上記目的を達成するため立体映画をスクリーンに映写する映写機に同期して液晶メガネの左目、右目映像を切替える赤外光信号をスクリーンに向けて投射する映画館において、液晶メガネの左目、右目映像の切替え赤外光信号検出器をスクリーン近傍またはスクリーン背後に設け、液晶メガネの左目、右目映像の切替え赤外光信号を増幅したり低減し赤外信号を制御中継し左目、右目映像の切替え信号の赤外光を発光させることにより盗撮装置自体が発光する盗撮防止赤外光と左目、右目映像を切替え信号の赤外光との干渉を回避し確実な立体映画上映を実現する。この構成手段は盗撮防止のための強力な赤外光と液晶メガネの左目、右目映像の切替え赤外光信号とを一致させ液晶メガネのセンサーの機能を確実にしている。また液晶メガネの左目、右目映像の切替え赤外光信号を増幅または低減し赤外信号を制御中継して左目、右目映像の切替え信号の赤外光を発光させる機能を持つことは、液晶メガネセンサーの受光感度に合わせて赤外発光信号送出する事が出来る。また映写スクリーンの反射、透過特性を勘案した赤外発光信号送出レベルを設定することも出来るため、この赤外信号をスクリーンの前面への投射、背面からの投射する赤外信号レベルを制御することが出来る。【００１３】  請求項３に記載の発明は請求項１において、液晶メガネ方式の３Ｄ立体映画の左目右目切替え赤外信号を検出し、検出した信号のパターンや繰り返し周期が規定の状態にある場合に限り、盗撮防止装置からの赤外光の発射を停止することにより、盗撮防止装置による３Ｄ立体映画の上映の妨害を回避することを特徴とする盗撮妨害方法及び装置である。液晶メガネの左目右目の切替え信号は映画の右目左目切替えフレームの直前に制御パルスで行っているが液晶メガネ方式の切替え信号を認識することで盗撮防止の動作を確実にしている。【００１４】  請求項４に記載の発明は請求項１において、映写機横に置かれた３Ｄ立体映画の液晶メガネの左目右目切替え赤外信号送信装置に内蔵された赤外信号送信手段の代わりに、映写機横から電波、または盗撮防止装置と干渉しない波長の光で液晶眼鏡方式の３Ｄ立体映画の左目右目切替え信号を盗撮防止装置に送り、盗撮防止装置で受信または受光し、盗撮防止装置で８４０ｎｍ〜９８０ｎｍの近赤外光に変換して送信し、盗撮防止効果と���Ｄ立体映画の左目右目切替え信号の送信を合わせて行うことを特徴とする盗撮妨害方法及び装置である。
【発明の効果】
【００１５】  請求項１〜請求項４の手段による本発明は映画館内での映画を盗撮防止の機能を３Ｄ立体映画上映でも可能として実現し提供するものであり、盗撮防止に関わる機器の制御を自動的に行えることが出来る。
【図面の簡単な説明】
【００１６】
【図１】    本発明による映画館内の盗撮防止機器の構成例である。
【図２】    本発明による盗撮防止赤外光発生装置及び３Ｄ立体映像の液晶メガネ切替え信号受光器の構成を示す。
【図３】    本発明による映画館内の盗撮防止機器の構成例である。
【図４】    ３Ｄ立体映像用の液晶メガネである。
【図５】    ３Ｄ立体映像用の液晶メガネの右目左目切替え信号動作例を示す。
【図６】    本発明によるシステム実施形態の例である。
【発明を実施するための形態】
【００１７】  本発明を具体化した実施形態を図に基づいて説明する。図は説明の都合上模式的に描いてある。図１は本発明に係る映画館での上映映画の盗撮機器と盗撮防止装置の構成例を示す説明図で、本発明の請求項１の実施例を示している。
【００１８】  図１は映画館の構成１００を示し、スクリーン設置部であるステージ部１０７、観客席部１０８、映写室１１７に大きく分類される。ステージ部１０７の床１０５には映写スクリーン１０６の背面へ盗撮防止赤外光１０２ａ，１０２ｂを照射する盗撮防止装置１０１ａ、１０１ｂ及び３Ｄ立体映像上映時に液晶メガネの左目右目の切替え信号を検出する受信装置１０３が配置され盗撮防止装置１０１ａ、１０１ｂと結線される。映写室１１７内の液晶メガネ切替え赤外光信号発生装置１１４は液晶メガネ切替え赤外光信号を映写スクリーン１０６の前面に投射する。通常液晶メガネによる３Ｄ立体映画のスクリーンは半透明であり、スクリーン１０６の背面に盗撮防止装置１０１ａ、１０１ｂ及び液晶メガネの左目右目の切替え信号を検出する受信装置１０３が配置されている。映写スクリーンが全反射性で透過性が無い時、盗撮防止器類はスクリーンの背面照射ではなくスクリーン前面投射の配置となる。
【００１９】  図１に盗撮ビデオカメラ１１１を操作する盗撮者１０９及び観客１１０ａ、１１０ｂがいる観客席１０８を示した。同じく映写室１１７には３Ｄ立体映画をスクリーン１０６に投射（１０３）する映写機１１２と映写機１１２からの信号に従って液晶メガネの左目右目の切替え赤外光信号をスクリーンに向けて照射（１１５）する赤外光送信装置１１４が配置される。
【００２０】  図１の構成による請求項１の盗撮防止方法は、盗撮防止赤外光と３Ｄ立体映像の液晶メガネの左目右目の切替え赤外光信号が干渉することを避けることにある。盗撮防止赤外光は盗撮ビデオカメラの焦点及び照度感度に障害を与え盗撮映像品位を低下させる為、前記液晶メガネ切替え赤外信号より強力であり、３Ｄ立体映像の液晶メガネの左目右目の切替え赤外光受信センサーが正常に機能しなくなることもあり、これを防止するため液晶メガネの左目右目の切替え赤外光がある時は１０１ａ１０１ｂによる盗撮防止赤外光を発射しない工夫を採っている。映写室内の液晶メガネの左目右目の切替え赤外光信号送信装置１１４からをスクリーンに向けて照射（１１５）される赤外光信号を受光装置１０５で受信し、３Ｄ立体映像の液晶メガネの左目右目の切替え赤外光信号がある時には盗撮防止装置１０１ａ、１０１ｂからの盗撮防止赤外光の照射をしないことにより盗撮防止赤外光と３Ｄ立体映像の液晶メガネの左目右目の切替え赤外光信号とが干渉することを避けること構成である。
【００２１】  図２は映画館ステージ上の盗撮防止装置の拡大詳細図を示す。スクリーン２０２の背面に盗撮防止赤外光２０６ａ、２０６ｂ、２０６ｃ、２０６ｄを照射する盗撮防止装置２０１ａ、２０１ｂを配置し、同じくスクリーン背面に３Ｄ立体映像の液晶メガネの左目右目の切替え赤外光信号２０４の受信装置２０３配置し液晶メガネの左目右目の切替え赤外光信号があるときは受信装置から盗撮防止赤外光の照射を制御する信号２０５を発生させる構成である。請求項１では液晶メガネの左目右目の切替え赤外光信号があるときは盗撮防止赤外光の照射を禁止する構成にしたがこれは映写室からの液晶メガネの左目右目の切替え赤外光投射信号をスクリーンで反射させることによっている。液晶メガネの左目右目の切替え赤外光信号をより確実に液晶メガネに切替え送信するには液晶メガネの赤外光センサーが誤動作しないレベルの液晶メガネ切替え信号と同期させた赤外信号を盗撮防止信号としてスクリーン背面より照射させ液晶メガネの左目右目の切替え赤外光信号をより確実に液晶メガネに送信することも可能である。
【００２２】  図３は本発明による３Ｄ立体映画盗撮防止装置の映画館内のシステム構成斜視図３００である。映画館内はステージ３０７、観客席３０８、映写室３１７に分類され、ステージ床３０５には映写スクリーン３０６の背面へ盗撮妨害赤外線３０２ａ、３０２ｂを照射する盗撮防止装置３０１ａ、３０１ｂと映写室から送信される液晶メガネの左目右目の切替え赤外光信号を受信する受信装置及び制御装置３０３から成る。受信及び制御装置３０３は制御線３０４で盗撮防止装置３０１ａ３０１ｂを制御する。観客席３０８には３Ｄメガネを装着した観客３１０ａ、３１０ｂと盗撮者３０９及び盗撮用ビデオカメラ３１１を示した。映写室３１７に３Ｄ立体映画を映写（３１３）する映写機３１２と液晶メガネの左目右目の切替え信号３１５を送信する送信機３１４の構成である。
【００２３】  図４は３Ｄ立体映像鑑賞に用いる液晶メガネ（４００）を示した。左目映像を透過または遮蔽する液晶スイッチ板４０２、右目映像を透過または遮蔽する液晶スイッチ板４０３を制御する液晶メガネの左目右目の切替え信号を受信するセンサー部４０３で構成される。この液晶メガネにより映写機より投射されるスクリーン映像を左目映像、右目映像として分離し、両眼視差映像による３Ｄ立体映像を得ることが出来る。
【００２４】  図５は液晶メガネの右目左目切替え信号の構成５００である。５０１は左目右目液晶切替えの制御信号の拡大図である。５０３は右目左目切替え信号による右目左目映像の切替えを示している。液晶メガネが左目用切替え信号５０２ａを受信したとき、左目液晶板を透過とし左目映像を左目が見る。この時、右目液晶板は遮蔽状態にある。液晶メガネが右目用切替え信号５０２ｂを受信したとき、右目液晶板を透過とし右目映像を右目が見る。この時、左目液晶板は遮蔽状態にある。このようにして両眼視差映像を分離している。
【００２５】  図６は請求項２の実施例である。映写機６０２と同期して液晶メガネ（６０９）の右目左目切替え信号６０７を送出する信号送出機６０３を配し、右目左目切替え信号６０７を受光（６１０）する受信装置６１５からの制御線６１７で中継器６１６の右目左目切替え信号をレベル制御した赤外光６１１を液晶メガネに送出する。同時に盗撮防止赤外光６１４ａ、６１４ｂをコントロールし良好な３Ｄ映画の上映を補助するものである。
【００２６】  請求項３による本発明の実施例は、図５の右目左目切替え信号を検出したときに盗撮防止装置から盗撮妨害赤外光投射を停止させるものである。構成は、ほぼ図１と同一であるので省略した。
【００２７】  請求項４による本発明の実施例は、盗撮防止赤外光と液晶の右目左目切替え赤外光が干渉するのを防ぐもので映写機に同期する液晶切替え信号を撮像防止近赤外光と干渉しない電磁波長である中赤外光や電波を液晶切替え信号として送出し盗撮防止装置で受光し、盗撮防止効果の赤外光を液晶メガネ切替え信号である赤外波長に変換してスクリーンに投射する構成である。
【符号の説明】
【００２８】１００    本発明装置例
１０１ａ  盗撮防止装置
１０１ｂ  盗撮防止装置
１０２ａ  盗撮防止赤外光
１０２ｂ  盗撮防止赤外光
１０３    液晶メガネ切替え赤外光受光装置
１０４    制御ケーブル
１０５    ステージ床
１０６    映写スクリーン
１０７    映画館ステージ部
１０８    観客席
１０９    盗撮者
１１０ａ  観客
１１０ｂ  観客
１１１    盗撮用ビデオカメラ
１１２    映写機
１１３    映像投射
１１４    液晶メガネ切替え赤外光送信装置
１１５    液晶メガネ切替え照射赤外光
１１６    制御ケーブル
１１７    映写室
２００    盗撮防止装置詳細拡大図
２０１ａ  盗撮防止装置
２０１ｂ  盗撮防止装置
２０２    映写スクリーン
２０３    液晶メガネ切替え赤外光受光装置
２０４    液晶メガネ切替え赤外光
２０５    制御ケーブル
２０６ａ  盗撮防止赤外光
２０６ｂ  盗撮防止赤外光
２０６ｃ  盗撮防止赤外光
２０６ｄ  盗撮防止赤外光
３００    本発明実施例の斜視図
３０１ａ  盗撮防止装置
３０１ｂ  盗撮防止装置
３０２ａ  盗撮防止赤外光
３０２ｂ  盗撮防止赤外光
３０３    液晶メガネ切替え赤外光受信装置
３０４    制御ケーブル
３０５    ステージ床
３０６    映写スクリーン
３０７    映画館ステージ部
３０８    観客席
３０９    盗撮者
３１０ａ  観客の液晶メガネ
３１０ｂ  観客の液晶メガネ
３１１    盗撮用ビデオカメラ
３１２    映写機
３１３    映像投射
３１４    液晶メガネ切替え赤外光送信装置
３１５    液晶メガネ切替え照射赤外光
３１６    制御ケーブル
３１７    映写室部
４００    液晶メガネ
４０１    右目液晶シャッター部
４０２    左目液晶シャッター部
４０３    液晶メガネ切替え赤外光受光部
５００    液晶メガネ左目右目切替え信号構成
５０１    液晶メガネ左目右目切替え信号拡大図
５０２ａ  液晶メガネ左目切替え信号
５０２ｂ  液晶メガネ右目切替え信号
５０３    液晶メガネ左目右目映像切替え
５０４ａ  左目映像
５０４ｂ  右目映像
６００    本発明実施例
６０１    映写室
６０２    映写機
６０３    液晶メガネ切替え赤外光送信器
６０４    制御ケーブル
６０５    観客席
６０６    映像投射
６０７    液晶メガネ切替え赤外光照射
６０８    盗撮用ビデオカメラ
６０９    液晶メガネ
６１０    液晶メガネ切替え赤外線受光
６１１    液晶メガネ切替え赤外光の中継照射
６１２    映写スクリーン
６１３ａ  盗撮防止装置
６１３ｂ  盗撮防止装置
６１４ａ  盗撮防止赤外光
６１４ｂ  盗撮防止赤外光
６１５    液晶メガネ切替え赤外光受信器
６１６    液晶メガネ切替え赤外光中継送信器
６１７    制御ケーブル
【図１】
2012156970.tif 000003
【図２】
2012156970.tif 000004
【図３】
2012156970.tif 000005
【図４】
2012156970.tif 000006
【図５】
2012156970.tif 000007
【図６】
2012156970.tif 000008